(57)【要約】      （修正有）【課題】製造が簡単であり、且つ、耐久性、操作性に優れた印刷バーを提供する。【解決手段】インクジェット用の印刷バー２は、支持横桁３と、支持横桁により保持される一連のヘッドホルダ４と、ヘッドホルダにより保持される複数の印刷ヘッド５と、を備え、ヘッドホルダは、それぞれヘッドホルダを直動ガイドするための側方のガイド成形部８、９を有し、それぞれ隣り合うヘッドホルダのガイド成形部は、相互に係合する構成とすることで、製造が簡単であり、且つ、耐久性、操作性を向上させることが可能となる。【選択図】図２
2019137059.tif 000002
【特許請求の範囲】
【請求項１】
インクジェット用の印刷バー（２）であって、
支持横桁（３）と、
前記支持横桁（３）により保持される一連のヘッドホルダ（４）と、
前記ヘッドホルダ（４）により保持される複数の印刷ヘッド（５）と、
を備える、インクジェット用の印刷バー（２）において、
前記ヘッドホルダ（４）は、それぞれ該ヘッドホルダ（４）を直動ガイドするための側方のガイド成形部（８，９）を有し、
それぞれ隣り合う前記ヘッドホルダ（４）の前記ガイド成形部（８，９）は、相互に係合することを特徴とする、インクジェット用の印刷バー（２）。
【請求項２】
各々の前記ヘッドホルダ（４）は、それぞれ異なって成形された２つのガイド成形部（８，９）を有することを特徴とする、請求項１記載の印刷バー。
【請求項３】
各々の前記ヘッドホルダ（４）の一方の前記ガイド成形部（８）は、雌型に成形されており、他方の前記ガイド成形部（９）は、雄型に成形されていることを特徴とする、請求項２記載の印刷バー。
【請求項４】
前記ガイド成形部（８，９）は、Ｔ溝ガイド（１１）を形成することを特徴とする、請求項１から３までのいずれか１項記載の印刷バー。
【請求項５】
少なくとも１つの前記ヘッドホルダ（４）は、少なくとも１つの保持磁石（７）を介して、前記支持横桁（３）に保持されることを特徴とする、請求項１から４までのいずれか１項記載の印刷バー。
【発明の詳細な説明】
【技術分野】
【０００１】
本発明は、支持横桁と、支持横桁により保持される一連のヘッドホルダと、ヘッドホルダにより保持される複数の印刷ヘッドと、を備える、インクジェット用の印刷バーに関する。
【０００２】
そのような印刷バーは、頁幅のインクジェット印刷に用いられ、この場合、シートまたはウェブの紙判幅にわたって延在する複数の印刷ヘッドが列を成して配置されている。
【０００３】
国際公開第２０１４１６０２１９号（WO 2014160219 A1）において、印刷バーが記載されている。その印刷バーの製造は、煩雑である。支持横桁に印刷ヘッドを取り付けるために、多数の構成部品が必要であり、それゆえ結果として小さな構成部品公差を有する長い公差の連鎖が生じる。さらに、構成部品は丈夫でなく、極めて入念な調整を必要とする。
【０００４】
本発明の課題は、製造が簡単でありかつ高耐久・操作性を有する印刷バーを提供することである。
【０００５】
この課題は、インクジェット用の印刷バーであって、支持横桁と、支持横桁により保持される一連のヘッドホルダと、ヘッドホルダにより保持される複数の印刷ヘッドと、を備える、インクジェット用の印刷バーにおいて、ヘッドホルダは、それぞれヘッドホルダを直動ガイドするための側方のガイド成形部を有し、それぞれ隣り合うヘッドホルダのガイド成形部は、相互に係合することを特徴とする、インクジェット用の印刷バーにより解決される。
【０００６】
直接にヘッドホルダにガイド成形部を組み付けることにより、構成部品の数が低減され、それゆえ結果として公差の連鎖が縮まる。残る構成部品公差は、比較的大まかに選択することができる。付加的な利点は、ヘッドホルダ内で構成部品の面倒な調整が必要とされないことである。
【０００７】
様々な改良形態が考えられる。
【０００８】
各々のヘッドホルダは、それぞれ異なって成形された２つのガイド成形部を有することができる。
【０００９】
各々のヘッドホルダの一方のガイド成形部は、雌型であってよく、他方のガイド成形部は、雄型であってよい。
【００１０】
ガイド成形部は、Ｔ溝ガイドを形成することができる。
【００１１】
少なくとも１つのヘッドホルダを、少なくとも１つの保持磁石を介して支持横桁に保持することができる。この場合、１つまたは複数の保持磁石を、支持横桁にまたは好ましくは１つもしくは複数のヘッドホルダに取り付けることができる、たとえば接着することができる。
【００１２】
改良形態は、以下の実施の形態の説明および付属の図面から明らかである。
【図面の簡単な説明】
【００１３】
【図１】インクジェット用の印刷バーを備える印刷機を示す。
【図２】ヘッドホルダが角柱ガイドを介して相互に結合されている、印刷バーの第１の実施の形態を示す。
【図３】ヘッドホルダが溝−溝ブロック−ガイドを介して相互に結合されている、第２の実施の形態を示す。
【図４】ヘッドホルダがＴ溝ガイドを介して相互に結合されている、の第３の実施の形態を示す。
【００１４】
図１は、インクジェット印刷でシートに印刷を行う印刷機１を示している。印刷機１は複数の印刷バー２を有し、印刷バー２の各々からそれぞれ別のインクが吐出される。印刷バー２は、それぞれ同一の構造を有し、図２以下の図面において印刷バー２が例示されている。
【００１５】
印刷バー２は、図１では側面図で示されているのに対して、図２〜図４では平面図で示されている。印刷バー２は、図３および図４では、図２に対して拡大された部分図で示されている。
【００１６】
図２は、印刷バー２が支持横桁３を有し、支持横桁３は、レールまたはフレームとして構成されてよいことを示している。支持横桁３は、図２〜図４では鉛直方向である被印刷物搬送方向に対して直交方向に延在するまたは沿って延びる。図１に関して、支持横桁３は、図平面に対して直交方向に沿って延びる。
【００１７】
支持横桁３のバー端部に、それぞれ１つの端部片６が配置されており、端部片６は、支持横桁３に一体に成形されてよい、または取り付けられてよい、たとえばねじ止めされてよい。両方の端部片６の間に、一連のヘッドホルダ４が配置されている。各々のヘッドホルダ４に、ノズルプレート１２を有する１つの印刷ヘッド５が取り付けられている。ノズルプレート１２において、図示されていないノズルが開口しており、ノズルからインクが吐出される。ノズルプレート１２は、ケイ素から成り、極めて繊細である。したがって、以下に説明する構成手段により、印刷バー２の組立ておよび調整時にノズルプレート１２同士の衝突が実際に排除されていることが保証されている。印刷ヘッド５は、相互に同一の構造を有する。ヘッドホルダ４も相互に同一の構造を有するので、ここに存在するモジュールシステムでは、各々のヘッドホルダ４は、ヘッドホルダ４の列内のすべての位置で使用することができる。各々のヘッドホルダ４に、１つの保持磁石７または好ましくは複数の保持磁石７が取り付けられており、たとえばヘッドホルダ４の背面に嵌め込まれている。保持磁石７により、ヘッドホルダ４は、磁気的に支持横桁３に固く保持される。
【００１８】
図２には、ヘッドホルダ４の例として、保持磁石７が断面図で示されている。各々のヘッドホルダ４は、隣り合うヘッドホルダ４または端部片６に向いたその両方の端部に、ガイド成形部８，９を有する。この場合、一方のガイド成形部は、凹設されたまたは雌型のガイド成形部８であり、他方のガイド成形部は、凸設されたまたは雄型のガイド成形部９である。さらに、一方の端部片６は、雌型のガイド成形部８を有し、他方の端部片６は、雄型のガイド成形部９を有する。印刷バー２の組立て状態で、各々の雄型のガイド成形部９は、雌型のガイド成形部８内に係合する。この場合、相互に内外に係合するガイド成形部８，９の各々の対偶は、各々のヘッドホルダ４を方向ｚにガイドする直動ガイドを形成する。図２に付記された直交座標系において、方向ｚが、方向ｘ，ｙに対して直交方向に延在し、方向ｘ、ｙは、やはり相互に直交方向に延在することが看取される。方向ｘと平行に、支持横桁３、一連のヘッドホルダ４および一連の印刷ヘッド５が延在する。方向ｙと平行に、被印刷物搬送方向が延在する。図２では、それぞれ２つのガイド成形部８，９が相俟って角柱ガイド１０を形成し、この場合、雄型のガイド成形部９は、勾配屋根の形態を有する横断面を有し、雌型のガイド成形部８は、これに対して補完的である。保持磁石７は、取付け補助手段として用いられるので、ヘッドホルダ４は、操作時に落下し得ない。さらに、保持磁石７は、ガイド成形部８，９の簡単化された構成を実現可能にする。というのも、保持磁石７が、ヘッドホルダ４を、方向ｙに、かつ方向ｚにより設定された軸線まわりの回転に関して固定するからである。印刷バー２の組立て時に、ヘッドホルダ４は、すでにそれに取り付けられた印刷ヘッド５とともに、方向ｚに相互に摺動され、その際、ガイド成形部８，９は、相互に内外に係合し、その後でヘッドホルダ４は、摺動時にその最終位置へガイドされる。つまり、接合状態で、各々のヘッドホルダ４は、方向ｚ（接合方向）を除くすべての自由度で固定されている。
【００１９】
図３の実施の形態は、図２の実施の形態とは、ガイド成形部８，９の横断面形状によってのみ相違している。雌型のガイド成形部８は、それぞれ単純な溝を形成するＵ字形横断面形状を有する。雄型のガイド成形部９は、四角形の横断面形状を有するとともに原則的に四角柱レールを形成し、四角柱レールは、摺動時に雌型のガイド成形部８の溝内を走行する。
【００２０】
図４の実施の形態では、雌型のガイド成形部８は、それぞれＴ溝を形成するＣ字形横断面形状を有する。雄型のガイド成形部９は、原則的にヘッドホルダ４に一体的に成形されたＴ字形成形レールであり、Ｔ字形成形レールは、摺動時に、隣り合うヘッドホルダ４のＴ溝内を走行する。その際、内外に嵌められたガイド成形部８，９の各々の対偶は、Ｔ溝ガイド１１を形成する。Ｔ溝ガイド１１は、その使用により端部片６を省くことができるので有利である。ヘッドホルダ４の列の端部における両方のヘッドホルダ４は、それぞれ単一のＴ溝ガイド１１によってのみ固定されかつ保持される。その他の構成は、図４の実施の形態は、図２の実施の形態に相応する。
【符号の説明】
【００２１】
１  印刷機
２  印刷バー
３  支持横桁
４  ヘッドホルダ
５  印刷ヘッド
６  端部片
７  保持磁石
８  ガイド成形部（雌型）
９  ガイド成形部（雄型）
１０  角柱ガイド
１１  Ｔ溝ガイド
１２  ノズルプレート
ｘ，ｙ，ｚ  方向
【図１】
2019137059.tif 000003
【図２】
2019137059.tif 000004
【図３】
2019137059.tif 000005
【図４】
2019137059.tif 000006
【外国語明細書】
2019137059.tif 000007
2019137059.tif 000008
2019137059.tif 000009
2019137059.tif 000010
2019137059.tif 000011
2019137059.tif 000012
2019137059.tif 000013
2019137059.tif 000014
2019137059.tif 000015
2019137059.tif 000016